(57)【要約】【課題】  鈴を載置する座布団を無くした新たな形態の鈴具であって、鈴具の移動の際や鈴棒で強く叩打しても、鈴具本体が鈴具台から外れて落下することがなく、清掃や鈴具本体の交換の際は、鈴具本体と鈴具台との分離が容易な鈴具を提供する。【解決手段】  鈴具本体６を支持するための支持体３と、 該支持体３を垂直方向に沿って上方に延びるように固定する鈴具台２と、前記支持体３の上方端部に固着した永久磁石または磁性体からなる磁着下部材５とを備え、該磁着下部材５と吸着する磁性体または永久磁石からなる磁着上部材７が鈴具本体６の内径部の中心に固定され、該磁着上部材７と磁着下部材５を磁力で吸着することにより鈴具本体６を鈴具台２に固定保持する。【選択図】図２
0003203314.tif 000002
【実用新案登録請求の範囲】
【請求項１】
開口部を下方に向けた円筒または椀の形状からなる鈴具本体を設けた鈴具において、 前記鈴具本体を支持するための支持体と、 該支持体を垂直方向に沿って上方に延びるように固定した鈴具台と、 前記支持体の上方端部に固着された永久磁石または磁性体からなる磁着下部材を備え、該磁着下部材と吸着する磁性体または永久磁石からなる磁着上部材が前記鈴具本体の内径中心部に固定され、該磁着上部材と磁着下部材を吸着することにより鈴具本体を支持体を介して鈴具台に保持することを特徴とする鈴具。
【請求項２】
前記磁着下部材を永久磁石で構成し、前記鈴具本体の外径上部の中央位置には外径部から内径部まで達するねじ溝を穿設し、該ねじ溝と螺合する磁性体から成るねじ部を下部に設けたつまみを設け、前記ねじ部と前記ねじ溝とを締結することで前記鈴具本体につまみを固定したことを特徴とする請求項１に記載の鈴具。
【請求項３】
前記磁着上部材には、前記磁着下部材の外径部と嵌る凹部を有し、該凹部と磁着下部材の外径部とが嵌ることにより前記鈴具本体と前記鈴具台とが位置決め保持されることを特徴とする請求項１または２に記載の鈴具。
【請求項４】
前記支持体は、コイルばねからなり前記鈴具本体を前記鈴具台に対して揺動可能に保持したことを特徴とする請求項１乃至３のいずれか1項に記載の鈴具。
【請求項５】
前記支持体の上部には小径部を設け、該小径部に嵌る孔を中央部に設けた平板を設け、該平板の孔を前記小径部に挿入することで平板を支持体に固定し、該平板の両端部にそれぞれ固定した紐を介して金属製の錘を揺動可能に懸吊したことを特徴とする請求項１乃至４のいずれか1項に記載の鈴具。
【考案の詳細な説明】
【技術分野】
【０００１】
本考案は、家庭や葬祭場などの仏壇の前などに置かれる葬祭用具の一つとして、仏壇にお参りする祭に棒状の打具（鈴棒）で叩いて音をだす鈴具であり、あるいは玄関や窓口のカウンター等に置いて訪問を示す呼び鈴としても使用できる鈴具に関する。
【背景技術】
【０００２】
古来から仏壇の前や仏壇の中に設置して使用される鈴具がある。この鈴具は、仏壇でのお参りや供養の際に、手を合わせる前に鈴棒で鈴具本体を叩いて鈴（りん）を鳴らすものである。従来の鈴は、上方が開口したお椀形の鈴具本体を、柔らかい布製の鈴布団を下に敷いた鈴台の上に載せて使用し、鈴具本体を鈴棒で叩くことによって鈴音を発生させている。このような鈴具本体，鈴具台，鈴布団等が一つ一つばらばらに組み合わせた鈴具の構成では、仏壇の清掃の時や、鈴具を他の場所に移動する際に、不用意に鈴具を落下させて、鈴具にひびを入れたり、仏壇に傷を付けたりする不都合があった。また、洋風建築の部屋に設置される現代家具風の仏壇に置いて従来の鈴具を用いる場合は、鈴具自体の形状が大きく、他の仏具例えばお水入れや蝋燭立てなどとデザイン的に整合しなかった。
【０００３】
そこで第１０図で示すように、鈴具本体（りん部）を鈴具台（支持台）から起立した支持部材の先端の一点で支持する構成の仏りんが提案されている（特許文献１）。また、鈴体と鈴台をねじが刻まれた支柱を通して上下二つの定着ナットで締結し、鈴体と鈴台を一体的に固定した鈴具が提案されている（特許文献２）。お椀型の鈴体を逆さにした形状の鈴体の底面中央部の孔に支柱を通して、鈴体と鈴台を二つの定着ナットで一体的に固定した仏具である。
【先行技術文献】
【特許文献】
【０００４】
【特許文献１】特許４９０７１４１号公報
【特許文献２】特開２００３−３１９８６９号公報
【考案の概要】
【考案が解決しようとする課題】
【０００５】
先行文献１に示した、りん部を支持台から起立した支持部材の先端の一点で載置支持する構成では、りん部と支持台が分かれており、仏りんを他の場所に移動する際や、鈴棒で大きくりん部を叩くとりん部と支持台が離れてばらばらになり、時には外れてりん部が落下してしまう不都合があった。またりん部を支持台と組み合わせる際は、りん部を椀の内面中心の凹部に挿入して支持部材の先端で支持させるが、りん部を支持台に対し常に正確に位置づけすることは比較的難しく、また面倒でもあった。
【０００６】
また先行文献２の鈴具では、鈴体と鈴台をねじが刻まれた支柱を通して二つの定着ナットで一体的に固定した構成では、上下の定着ナットで固定するためのねじ連結機構が外部から見え、意匠的には好ましくないものであった。また、鈴具のお椀内部の清掃や鈴体を他の鈴体と交換する際には、締結ナットの結合を解除した後、組立のために再結合する締結作業が必要であつた。またねじで鈴具を固定しているために、ねじの締結具合によって鈴の音色や残響効果が変化するものであった。
【０００７】
本考案は、上記のような欠点を解決する為に、通常の状態では鈴具本体と鈴具台は支持体を介して一体的に固定されており、鈴具の設置場所の移動の際には鈴具本体が鈴具台から外れて落下することはない。また鈴具の内部の清掃時や、鈴具本体を音色や形状が異なる他の鈴具本体と交換する際には、鈴具と鈴具台とを工具を用いることなく容易に分離できる鈴具を提供することを目的としている。
【課題を解決するための手段】
【０００８】
上記目的を達成するために、本考案の鈴具は、開口部を下方に向けた円筒または椀形状からなる鈴具本体を設けた鈴具において、前記鈴具本体を支持するための支持体と、該支持体を垂直方向に沿って上方に延びるように固定した鈴具台と、前記支持体の上方端部に固着された永久磁石または磁性体からなる磁着下部材とを備え、該磁着下部材と吸着する磁性体または永久磁石からなる磁着上部材が前記鈴具本体の内径中心部に固定され、該磁着上部材と磁着下部材を磁気により吸着することにより鈴具本体を支持体を介して鈴具台に保持することを特徴としている。
【０００９】
また本考案の鈴具の前記磁着下部材を永久磁石で構成し、前記鈴具本体の外径上部の中央位置には外径部から内径部まで達するねじ溝を穿設し、該ねじ溝と螺合する磁性体から成るねじ部を下部に設けたつまみを設け、前記ねじ部と前記ねじ溝とを締結することで前記鈴具本体につまみを固定したことを特徴としている。
【００１０】
また本考案の前記磁着上部材は、前記磁着下部材の外径部と嵌る凹部を有し、該凹部と磁着下部材の外径部とが嵌ることにより前記鈴具本体と前記鈴具台とが位置決め保持されることを特徴としている。
【００１１】
また本考案の前記支持体は、コイルばねからなり前記鈴具本体を前記鈴具台に対して揺動可能に保持したことを特徴としている。
【００１２】
そして、本考案の前記支持体の上部には小径部を設け、該小径部に嵌る孔を中央部に設けた平板を設け、該平板の孔を前記小径部に挿入することで平板を支持体に固定し、該平板の両端部にそれぞれ固定した紐を介して金属製の錘を揺動可能に懸吊したことを特徴としている。
【考案の効果】
【００１３】
本考案にあっては、以下に列挙する効果が得られる。
（１）支持体に固着された磁着下部材と鈴具本体に固定された磁着上部材とを永久磁石の磁力で互いに吸着することで、鈴具本体を鈴具台に固定しているので、通常の使用の際は鈴具本体が鈴具台から分離してばらばらになることはない。鈴具本体の艶出しや埃取りなどの清掃や鈴具本体の交換が必要な際には、永久磁石の磁力以上の力で剥がすことにより鈴具本体の取り外しが容易である。鈴具本体と支持体とは、磁着上下部材の一定の磁力で締結されているので鈴の音色や残響音は一定の安定した音色を発する効果がある。
【００１４】
（２）金属の磁性体から成るねじ部を下部に設けたつまみを、鈴具本体の外径上部の中央位置から内径部に貫通してねじで固定することで、永久磁石で構成した磁着下部材とねじ部の下端とを磁力で吸着することができる。ねじ部が磁着上部材の機能を兼ねることで構成が簡単になるとともに、鈴具本体につまみを設けることで鈴具の持ち運びが容易となる効果がある。
【００１５】
（３）鈴具本体の内径中心部に固定された磁着上部材の下方に開口した凹部に磁着下部材の外径部を嵌めることで、鈴具本体の中心と鈴具台の中心位置が整合し正確な組み合わせが容易になり、その整合状態を常に維持することができる。また磁性体である磁着上部材の凹部を形成する円筒の側部が永久磁石の磁力線を収束することで永久磁石の磁力が強力になり、鈴具本体と支持体とを強く吸着する効果がある。
【００１６】
（４）鈴具本体を支持する支持体をコイルばねで構成することで、鈴具本体を揺動可能に鈴具台に支持するため、鈴棒等により鈴具本体を打ち鳴らした際には、残響時間がより長く持続されると共に、叩打による外力の作用で鈴具本体は揺らぎ、その様子が面白味を与えるだけでなく、鈴具本体の揺らぎにより音色の余韻にも揺らぎ効果が生じ趣を感じさせる音色を発する鈴具となる。
【００１７】
（５）支持体の上部で、かつ鈴具本体の内部に平板を固定し、この平板の両端部に紐を介して金属製の錘を揺動可能に懸吊したことで、鈴棒を用いなくても鈴具を左右に振ることで錘が揺動して鈴具本体の内部側面を叩き、鈴を鳴らすことができる効果がある。
【図面の簡単な説明】
【００１８】
【図１】本考案の実施例１による鈴具を示す正面図である。
【図２】図１の鈴具の一部縦断面図である。
【図３】図１の鈴具の平面図である。
【図４】実施例１の鈴具本体と鈴具台を分離した状態を示す図である。
【図５】実施例２を示す一部縦断面図である。
【図６】実施例３を示す一部縦断面図である。
【図７】実施例４を示す一部縦断面図である。
【図８】実施例５を示す一部縦断面図である。
【図９】図８のＡ−Ａ矢視断面図である。
【図１０】従来の鈴具の例を示す中央縦断面図である。
【考案を実施するための形態】
【００１９】
以下に本考案の実施の形態を図面に基づいて説明する。
【実施例１】
【００２０】
図１〜図４は、本考案による鈴具の実施例１を示し、図１は鈴具１の正面図、図２は図１の一部縦断面図、図３は図１の鈴具１の平面図であり、図４は支持体３に固定された磁着下部材５と鈴具本体６の内径中央部に固定された磁着上部材７の磁力による吸着を解いて、鈴具本体６と鈴具台２とを分離した状態を示している。
この実施例１の鈴具１には、支持体３を鈴具台２に対して直立した状態で支持体３の下部に設けた固定ねじ部４により螺着固定している。
【００２１】
支持体３の上端には、磁着下部材５が接着剤等で支持体３に固定されている。磁着下部材５は、永久磁石または磁性体で構成されている。
磁着下部材５と吸着する磁性体または永久磁石からなる磁着上部材７が、開口部を下方にした円筒状またはお椀状に形成された鈴具本体６の内径部の中央位置に接着剤等で固定されている。
この磁着上部材７と磁着下部材５を、互いにＮ−Ｓの磁石同士又は磁石と磁性体の組み合わせでそれぞれ構成することにより、互いに磁力で吸着することで鈴具本体６は開口部を下方にした状態で支持体３を介して鈴具台２に固定保持される。
【００２２】
鈴具本体６と支持体３との結合は、支持体３に固定してある磁着下部材５に鈴具本体６の内径部の中央位置に固定してある磁性体または永久磁石からなる磁着上部材７を磁力で吸着することで、容易に結合でき、またその磁力結合を手で引っ張ることで分離することができる。
図４は、磁着下部材５と磁着上部材７との吸着力に抗して鈴具本体６と鈴具台２を分離した状態を示している。また鈴具本体６を通常仏りんの素材として多く用いられる銅または真鍮ではなく磁性体である素材、例えば磁力のあるステンレスや鉄等で構成した場合には、磁着上部材７を別部材としてではなく、鈴具本体６の内径の中央部を直接平面状に加工して磁着上部材７として形成しても良い。
【実施例２】
【００２３】
本考案の第２の実施例について図５に基づいて説明する。以下実施例１と同じ機能を有する部材は、同じ番号を付し説明を省略する。実施例２の鈴具本体６の外径上部の中央位置には、ねじ溝が外径部１1から内径部まで貫通して形成されている。
半球状のつまみ８の下部に設けられたねじ部９は磁性体の素材からなり、このねじ部９をねじ溝にねじ込むと、ねじ部９の下端部は鈴具本体６の内径部の面と略同一の位置状態に達する。
【００２４】
以上の構成により、鈴具本体６と鈴具台２との磁力結合は、支持体３に固定された磁石からなる磁着下部材５とつまみ８のねじ部９の下端を磁力で吸着することで固定が可能となる。この実施例２の構成では、鈴具本体６の磁着上部材７としての吸着作用をつまみ８の磁性体からなるねじ部９が兼ねることで、鈴具本体６の構成が簡単になる。
また鈴具１の移動時等の保持の際につまみ８を掴むことで取扱いに都合が良く、また鈴具１の取扱い時には手垢等の汚れが鈴具本体６に付着することを防ぐ効果がある。
【実施例３】
【００２５】
本考案の第３の実施例について図６に基づいて説明する。実施例３の鈴具本体６の内径部の中央位置には、磁着上部材７が接着剤等で固定されている。
この磁着上部材７は、その下方先端部を拡開した形状であり、上方の底部は支持体３に固定された磁着下部材５の外径部１１に嵌る円筒状の凹部１０が形成されている。鈴具本体６と鈴具台２との固定は、支持体３に固定された磁着下部材５と鈴具本体６に固定された磁着上部材７を磁力で互いに吸着することで可能となる。
【００２６】
両者を固定する際は、磁着下部材５の外径部１１が磁着上部材７の開口部に案内されて凹部１０の底部に嵌り、鈴具本体６の中心と鈴具台２の中心位置が整合し、中心位置を合わせた状態を常に維持できる効果がある。
また磁着上部材７の形状を下方凹形状とすることで、磁着上部材７は磁力線が収束して永久磁石の磁力を強化するヨークの働きを行い、ネオジウム磁石等の強力磁石を用いなくても普通磁石で充分な磁力が得られる効果がある。
【実施例４】
【００２７】
本考案の第４の実施例について図７に基づいて説明する。実施例４の鈴具台２に直立固定されている支持体３を、直立の棒とする代わりにコイルばね１２で構成したものである。
コイルばね１２は、その下部を鈴具台２の小径部１３に打ち込んで固定され、上端部には磁着下部材５を接着剤等で固定している。
支持体３を弾性のコイルばね１２で構成することにより、鈴具本体６を鈴具台２に対して揺動可能に支持できるため、鈴棒等により鈴具本体６を打ち鳴らした際には、残響時間が長く持続されると共に、叩打による外力の作用で鈴具本体６は揺れ、その揺れの動作変化に面白味を与えるだけでなく、鈴具本体６の揺れにより鈴具１の音色に余韻や揺らぎを生じさせる効果がある。
【実施例５】
【００２８】
本考案の第５の実施例について図８と図９に基づいて説明する。実施例５の鈴具台２に直立に固定されている支持体３の上部には、支持体３の下方の径より小さい小径部１３が設けられている。
この小径部１３には、この小径部１３に嵌る孔１４が中央位置に穿設された平板１５が、孔１４を小径部１３に挿入することで支持体３の上部に固定されている。平板１５の両端部には、ステンレスや錫等の金属からなる錘１７が、平板１５に固定された紐１６を介して平板１５に対して揺動可能に懸垂されている。
【００２９】
小径部１３の上端部には、磁着下部材５が接着剤等で固定されている。鈴具本体６の内径部の中央位置に固定してある磁性体または永久磁石からなる磁着上部材７を上記磁着下部材５と吸着することで、鈴具本体６を支持体３に固定する。
この構成により、鈴具１の全体を左右に揺らすことで錘１７が揺動して鈴具本体６の内径部側面を叩き、鈴棒を用いなくても鈴を鳴らすことができ、鈴具１を呼び鈴として使用できる効果がある。
【００３０】
なお鈴具本体６を円筒状として説明したが、その他の形状例えば鉢状や半円形状等として構成しても良い。
【産業上の利用可能性】
【００３１】
本考案の鈴具は、主に葬祭用具として用いるが、鈴具全体がコンパクトでモダンな意匠であるので、他の用途、例えば呼び鈴として用いることも可能である。
【符号の説明】
【００３２】
１  鈴具
２  鈴具台
３  支持体
４  固定ねじ部
５  磁着下部材（永久磁石または磁性体）
６  鈴具本体
７  磁着上部材（磁性体または永久磁石）
８  つまみ
９  ねじ部
１０  凹部
１１  外径部
１２  コイルばね
１３  小径部
１４  孔
１５  平板
１６  紐
１７  錘
【図１】
0003203314.tif 000003
【図２】
0003203314.tif 000004
【図３】
0003203314.tif 000005
【図４】
0003203314.tif 000006
【図５】
0003203314.tif 000007
【図６】
0003203314.tif 000008
【図７】
0003203314.tif 000009
【図８】
0003203314.tif 000010
【図９】
0003203314.tif 000011
【図１０】
0003203314.tif 000012